(57)【要約】【課題】  二回線を用いて完全に無人で転送先に転送することができる電話転送装置を提供する。【解決手段】    着信用回線と転送用回線の二回線を接続したもので、転送者ｂ側の電話網に接続されるものであって、外部の電話機から発信者ａがＢ回線を呼び出した場合、この転送電話装置ＴがＢ回線を保留にするとともに発信者ａの電話番号Ａを記録し、続いて発信者ａが相手先ｄの電話番号Ｄを送出すると、この番号Ｄと発信者ａの電話番号Ａを関連付けて記録する一方、局線Ｃを保留するとともに相手先電話番号Ｄを送出し、相手ｄが電話機Ｄの受話器を上げることにより発信者ａと相手ｄとの通話を開始させることを特徴とする電話転送装置。【選択図】        図１
2011155342.tif 000002
【特許請求の範囲】
【請求項１】
一般の電話回線或いは定額通話ラインに加入している電話回線（Ｂ回線）を着信用回線とし、一般の電話回線或いは定額通話ラインに加入している電話回線を転送用回線（Ｃ回線）とする二回線を利用した転送電話装置で転送者ｂ側の電話網に接続されるものであって、外部の電話機から発信者ａがＢ回線を呼び出した場合、この転送電話装置ＴがＢ回線を保留にするとともに発信者ａの電話番号Ａを記録し、続いて発信者ａが相手先ｄの電話番号Ｄを送出すると、この番号Ｄと発信者ａの電話番号Ａを関連付けて記録する一方、局線Ｃを保留するとともに相手先電話番号Ｄを送出し、相手ｄが電話機Ｄの受話器を上げることにより発信者ａと相手ｄとの通話を開始させることを特徴とする電話転送装置。
【請求項２】
ｄが電話に出ない場合、ｄの電話機には不在としてｂの転送用回線の番号Ｃが表示され、後ほどｄが電話機Ｄから番号Ｃに掛けると、関連付けて記録されている番号Ａと番号Ｄを基に、発信者ａの電話機Ａを呼び出すものである請求項１記載の電話転送装置。
【請求項３】
電話番号ＤとＡの組の記録は、通話が修了した時点で削除する或いは通話が修了してから一定時間経過後に削除するものである、請求項１又は請求項２記載の電話転送装置。
【請求項４】
定額通話ラインが、ソフトバンクテレコム株式会社の「おとくライン」（ＴＭ）である、請求項１又は請求項２記載の電話転送装置。
【請求項５】
外部からの電話機がソフトバンクモバイル株式会社の「ホワイトライン24（モバイル）、ホワイトプラン＆Ｗホワイト」（ＴＭ）等の通話無料の定額契約に加入している電話機或いは携帯電話機である請求項１又は請求項２記載の電話転送装置。
【請求項６】
転送用回線を固定電話とし、ひかりＩＰ電話に加入しているものである、請求項１又は請求項２記載の電話転送装置。
【請求項７】
電話転送装置は、着信用回線と転送用回線に接続されるインターフェースと、該インターフェースに接続される受信部、記録部及び送信部からなるものである、請求項１、請求項２又は請求項３記載の電話転送装置。
【請求項８】
電話転送装置は、会社側の電話網に複数個接続されるか、或いはインターフェースと受信部、記録部及び送信部の機能を複数組組み込んだものである、請求項１、請求項２又は請求項３記載の電話転送装置。
【発明の詳細な説明】
【技術分野】
【０００１】
本発明は、二回線を利用した転送電話装置の改良に関するものである。
【背景技術】
【０００２】
従来の二回線を利用した転送電話装置は、着信した電話回線を転送用電話回線で定められた電話機に機械的につなぐものである。これを、任意の転送先に転送できるように改良した。更に、受信先（転送先ｄ）からの表示のナンバーディスプレイ（会社の局線Ｃ番号が表示される）に従って、折り返し発信した場合、発信者ａに自動的に転送されるようにしたものである。
【０００３】
即ち、従来の二回線を利用した転送電話装置は、定められた電話回線に掛かってきた電話を、設定された電話番号に転送するものである。設定は、複数の中から予め選んでおくこともできるようになっっていることもある。
【０００４】
しかし、これでは転送先が固定されているので不便である。そこで、ＮＴＴがボイスワ−プの応答後の転送と言うサ−ビスを提供しはじめた。この電話転送サ−ビスは、外線先との通話後に自己の電話機をフッキング（瞬断）して外線電話を局側で保留し、その間に転先を呼び出し、転送先と通話ができた状態で自己の電話機をＯＮフックすると、外線電話の保留が解除されて転送と通話ができるようになるものである。しかしこの方式は、外線先の要望に応じてどの電話番号にでも転送できる利点はあるが、受け手側では必ず人手で対応しなければならず、留守番が居なければ利用出来ない。
【０００５】
そこで、本発明者は、このボイスワ−プサービスを利用して、発信者が任意の電話番号に掛けることができる技術を開発した（特許文献１）。しかし、この技術は、いくつかの電話番号を設定しておき、この番号の中でのみ任意に選べると言う限定があった。
【先行技術文献】
【特許文献】
【０００６】
【特許文献１】特開２００１−３３３１４７
【発明の概要】
【発明が解決しようとする課題】
【０００７】
本発明は、これらの欠点を解決するためになされたもので、ボイスワ−プを利用することなく二回線を使用しながらも全くの任意の転送先に転送できるようにしたものである。更に、受信先（転送先ｄ）からの表示のナンバーディスプレイ（会社の局線Ｃ番号が表示される）に従って、転送先が折り返し発信した場合、発信者ａに自動的に転送される。ここで、受信者側の電話機には、受信記録として会社の局線Ｃ番号が表示されることが最も大きな特徴である。このことは、相手（転送先ｄ）に自己電話番号（発信者）を知られないので、その後ちょくちょく掛かってくることを防ぐ利点がある。
【課題を解決するための手段】
【０００８】
但し、この場合、通常であれば、発信者ａ（局線Ａ、又は携帯電話）→着信用回線Ｂ  転送用回線Ｃ→相手先回線Ｄと言う２回の接続が行われるので、通信費用も２倍かかり、費用負担が大きくなる。
【０００９】
ところが、最近、定額の支払いで、通話料金が無料になる様々なサービスが行われ始めている。例えば、ソフトバンクのおとくライン２４（ＴＭ）と言うサービスがある。これは、着信用回線Ｂがこのサービスに加入しておれば、Ｂに斯かる電話料金は、定額の支払いのみで通話料は無料でる。そこで、例えば会社の従業員が会社（Ｂ回線）に電話をかければ、通話料は無料となる。一方、転送用回線Ｃを同じくおとくライン２４や、ひかり電話、ＩＰ電話等にしておくと、通話料は全国どこでも８円／３分である。
【００１０】
従って、従業員が携帯電話で相手先回線Ｄへ直接かければ、数十円／１分と言う高額なものになるが、本発明装置を用いれば、相手が携帯電話でも固定電話でも、全国一律８円／３分で掛けることができることになる。
【００１１】
次に、本発明装置の基本的な構成を図１に基づいて説明する。まず、会社側では、着信用回線Ｂと転送用回線Ｃが、本発明装置Ｔに接続される。本発明装置Ｔは、固定電話に接続されている。両回線は、インターフェースＩで連結されている。このインターフェースＩがかかってきた電話と転送する電話との音量の減衰等の調整を行う。このインターフェースＩには、受信部Ｊと記録部Ｋ、及び送信部Ｓが接続されている。記録部Ｋでは、メモリーが許す限り局線Ａと局線Ｄの組の番号を記録しており（例えば１００組）、新しく記録されれば、古いものは消去される。
【００１２】
次に、電話がかかった場合の動きについて、説明する。
（イ）通常の場合
（１）従業員ａ（固定電話でも、同客からでもよい）が携帯（０９０〜Ａ〜）から会社ｂの着信回線（０６〜Ｂ〜）に電話を掛ける。
（２）会社ｂ側の装置Ｔで、（０６〜Ｂ）を保留（オフフック）するとともに、番号（０９０〜Ａ〜）を記録する。Ｂのオフフックと同時にＢ／Ｃがリンク接続される。
（３）次に、従業員ａが、相手先ｄの携帯の番号（０９０〜Ｄ〜）（ＰＢ信号やモデム信号）を送出する。装置Ｔで、この番号（０９０〜Ｄ〜）を記録し、番号（０９０〜Ａ〜）と番号（０９０〜Ｄ〜）を関連付ける。
（４）装置Ｔが、局線Ｃを保留（オフフック）するとともに、番号（０９０〜Ｄ〜）を発信する。ｄが受話器を上げると、そのオフフックを見地して、Ｂ／Ｃ間がリンク接続され、Ｂ回線とＣ回線をの送／受信を相互に成立させ、Ａ＝Ｄ間の通話を可能とする。
（５）番号（０９０〜Ａ〜）と（０９０〜Ｄ〜）の組の記録は、通話が修了した時点で、或いは一定の時間をおいて削除する。通話が不通の場合、その後、一定時間保存し、その後で削除する。或いは記録部Ｋのメモリーが一杯になるまで記憶を続け、次々新しい番号の組が記録されれば、古井ものから順次消去させるようにしてもよい。
（ロ）ｄが出ない場合
（１）〜（３）までは、上記（イ）と同じである。
（４）ｄの携帯電話（或いは固定電話）には、不在として、ｂの転送用電話機の番号（０６〜Ｃ〜）が表示される。
（５）後ほど、ｄが（０９０〜Ｄ〜）から（０６〜Ｃ〜）に掛けると、装置Ｔでは、番号（０９０〜Ａ〜）と番号（０９０〜Ｄ〜）が関連付けられているので、０９０〜Ａ〜に掛かる。
◎ａ（０９０〜Ａ〜）からｄ（０９０〜Ｄ〜）に直接掛けた場合、ｄの電話機には（０  ９０〜Ａ〜）が表示されるので、あとでｄが直接（０９０〜Ａ〜）に掛けることになる。すると、番号が知られて、常に掛かってくることになる。例え休暇中でも、仕事から  逃れられないことになる。本装置Ｔを使用すれば、そのようなことが避けられる。
【００１３】
図２では、本発明の装置Ｔを複数個、或いはこの機能を複数設けた１個の装置Ｔ′は、主装置Ｍに接続されている。主装置には、複数の固定電話が連結されている。着信回線Ｂは、Ｂ１、Ｂ２、Ｂ３と３つある。それぞれ、おとくライン２４を契約してある。
【００１４】
転送用回線Ｃは、Ｃ１、Ｃ２、Ｃ３と３つある。これらは、代表を組んでおいてもよい。これらの転送用回線Ｃは、おとくライン２４やひかり電話、ＩＰ電話としておくと通話代が安くなる。
【００１５】
（１）従業員ａ１、ａ２、ａ３、………が別々に時間差を設けて掛ける場合、それぞれの電話番号と相手方の電話番号を関連付けておけばよい。
（２）従業員ａ１、ａ２、ａ３、………が同時に会社ｂに掛ける場合には、この装置Ｔが複数個（又は、装置Ｔの機能を複数組組み込んだ装置Ｔ′が）必要になる。その場合、（０６〜Ｂ〜）を代表番号とし、複数の回線の契約が必要となる。また、装置Ｔから送出する（０６〜Ｃ〜）は、Ｃ１，Ｃ２，Ｃ３とするか、代表番号  を組んでおく（複数の送出番号契約必要）。その場合、装置Ｔは、（０９０〜Ａ１〜）、（０９０〜Ａ２〜）、（０９０〜Ａ３〜  ）………と（０９０〜Ｄ１〜）、（０９０〜Ｄ２〜）、（０９０〜Ｄ３〜）………をセットで関連付けて記憶しておく。
【００１６】
（１）ソフトバンクの携帯と固定電話でのホワイトライン２４の契約による通話料金の低減化。
従業員ａ携帯がソフトバンクモバイル株式会社に加入しており、且つホワイトライン２４（モバイル）を契約している場合で、会社の固定電話がソフトバンクテレコム株式会社に加入しており且つ「おとくライン」を契約している場合、表１に示すように、月額９８０円（消費税込み）で、携帯から固定への国内通話が２４時間無料になる。
（２）固定から携帯への通話料金を無料にするオプション割引サービスを利用すると、アナログ（５２５円／月）、ＩＳＤＮ（１０５０円／月）で利用できる。また、固定電話にひかりＩＰを契約すると、結果的に、携帯を内線電話として使うことができるようになる。
【００１７】
【表１】
2011155342.tif 000003
【発明の効果】
【００１８】
以上説明したように本発明の電話転送装置は、外部から着信用回線に掛かってきた電話を、もう一回線の転送用回線を通じて、外部の電話からの指示で任意の相手先の電話を呼び出して通話するものである。そして、着信用回線がおとくラインのような通話料無料の契約をしており、転送用回線がひかり電話等であれば、従業員等が携帯で相手に掛ける場合、着信用回線にかけてから転送用回線を介して相手先の電話番号を送信すれば、８円／３分と言う極めて安い料金で、全国どこへでも掛けることができる。
【図面の簡単な説明】
【００１９】
【図１】本発明装置の、基本構成を示す説明図である。
【図２】本発明装置を会社電話網への組み込み方を示す説明図である。
【発明を実施するための形態】
【００２０】
会社側では、着信用回線Ｂと転送用回線Ｃが、本発明装置Ｔに接続され、本発明装置Ｔは固定電話に接続されている。両回線は、インターフェースＩで連結されている。このインターフェースＩがかかってきた電話と転送する電話との音量の減衰等の調整を行う。そして、着信用回線Ｂに買ってきた電話を、発信者側の指示で相手先の番号を転送用回線Ｃから出力し、相手先を呼び出す。インターフェースＩには、受信部Ｊと記録部Ｋ、及び送信部Ｓが接続されている相手方で電話に出ず、後刻転送用回線Ｃに電話をすれば、記録部Ｋで記録されているＡとＤの組み合わせの記録から、Ａを呼び出すものである。
【実施例１】
【００２１】
以下、本発明を図面に基づいて詳細に説明する。本発明の転送電話装置は、図１に示すように、インターフェースＩに、着信用回線Ｂと転送用回線Ｃが接続されている。このインターフェースＩには、受信部Ｊと記録部Ｋ、及び送信部Ｓが接続されている。記録部Ｋでは、メモリーが許す限り局線Ａと局線Ｄの組の番号を記録しており（例えば１００組）、新しく記録されれば、古いものは消去されるようになっている。本発明装置Ｔは、固定電話に接続されている。このインターフェースＩがかかってきた電話と転送する電話との音量の減衰等の調整を行う。
【００２２】
そして、従業員ａが携帯（０９０〜Ａ〜）から会社ｂの着信回線（０６〜Ｂ〜）に電話を掛ける。すると、会社ｂ側の装置Ｔで、（０６〜Ｂ）を保留（オフフック）するとともに、番号（０９０〜Ａ〜）を記録する。Ｂのオフフックと同時にＢ／Ｃがリンク接続される。次に、従業員ａが、相手先ｄの携帯の番号（０９０〜Ｄ〜）（ＰＢ信号やモデム信号）を送出する。装置Ｔで、この番号（０９０〜Ｄ〜）を記録し、番号（０９０〜Ａ〜）と番号（０９０〜Ｄ〜）を関連付ける。装置Ｔが、局線Ｃを保留（オフフック）するとともに、番号（０９０〜Ｄ〜）を発信する。ｄが受話器を上げると、そのオフフックを見地して、Ｂ／Ｃ間がリンク接続され、Ｂ回線とＣ回線をの送／受信を相互に成立させ、Ａ＝Ｄ間の通話を可能とする。
【００２３】
ｄが出ない場合、ｄの携帯電話（或いは固定電話）には、不在として、ｂの転送用電話機の番号（０６〜Ｃ〜）が表示される。後ほど、ｄが（０９０〜Ｄ〜）から（０６〜Ｃ〜）に掛けると、装置Ｔでは、番号（０９０〜Ａ〜）と番号（０９０〜Ｄ〜）が関連付けられているので、０９０〜Ａ〜に掛かる。これは、番号（０９０〜Ａ〜）を相手に知られずにすむ大きな特徴である。
【実施例２】
【００２４】
次に、図２で、本発明の装置Ｔを複数個、或いはこの機能を複数設けた１個の装置Ｔ′の例を説明する。本発明装置は、主装置Ｍに接続されている。主装置には、複数の固定電話が連結されている。着信回線Ｂは、Ｂ１、Ｂ２、Ｂ３と３つある。それぞれ、おとくライン２４を契約してある。転送用回線Ｃは、Ｃ１、Ｃ２、Ｃ３と３つある。これらは、代表を組んでおいてもよい。これらの転送用回線Ｃは、おとくライン２４やひかり電話、ＩＰ電話としておくと通話代が安くなる。
【００２５】
まず、従業員ａ１、ａ２、ａ３、………が別々に時間差を設けて掛ける場合、それぞれの電話番号と相手方の電話番号を関連付けておく。従業員ａ１、ａ２、ａ３、………が同時に会社ｂに掛ける場合には、この装置Ｔが複数個（又は、装置Ｔの機能を複数組組み込んだ装置Ｔ′が）必要になる。その場合、（０６〜Ｂ〜）を代表番号とし、複数の回線の契約が必要となる。また、装置Ｔから送出する（０６〜Ｃ〜）は、Ｃ１，Ｃ２，Ｃ３とするか、代表番号  を組んでおく（複数の送出番号契約必要）。その場合、装置Ｔは、（０９０〜Ａ１〜）、（０９０〜Ａ２〜）、（０９０〜Ａ３〜  ）………と（０９０〜Ｄ１〜）、（０９０〜Ｄ２〜）、（０９０〜Ｄ３〜）………をセットで関連付けて記憶しておく。
【産業上の利用可能性】
【００２６】
おとくラインや光電話等を契約することにより、全国一律の安い通話料で携帯から任意の固定或いは携帯電話に電話を掛けることができる。
【符号の説明】
【００２７】
Ａ      外線（かける方の電話番号）
Ｂ      着信用回線
Ｃ      転送回線
Ｄ      相手方電話番号
Ｔ      本発明装置
Ｉ      インターフェース
Ｊ      受信部
Ｋ      記録部
Ｓ      送信部
Ｍ      主装置
【図１】
2011155342.tif 000004
【図２】
2011155342.tif 000005